(57)【要約】  タバコ製品のスイングオープン型硬質パッケージ１は、タバコ製品の群２を収容すると共に、底壁７と、底壁７とは反対側にある開口上端６とを有する内箱３と、内箱３を収容すると共に、上壁１６と、上壁１６とは反対側にある底壁１７と、上壁１８とを有する外箱４と、内箱３の底壁７を外箱４の底壁１７に接続して、内箱３が外箱４の内側に挿入された閉鎖位置と、内箱３が開口前端１８を介して外箱４から少なくとも部分的に引き出された開放位置との間で内箱３が回転するのを可能にする主ヒンジ５とを有する。横断方向折り線３７に沿って１８０°折り畳まれる、外箱４の底壁１７に接続される接続タブ２６が、内箱３及び外箱４の両方に接着される。【選択図】図３
2015511564.tif 000002
【特許請求の範囲】
【請求項１】
タバコ製品の一群（２）と、
前記タバコ製品の群（２）を収容すると共に、底壁（７）と、前記底壁（７）とは反対側にある開口上端（６）とを有する内箱（３）と、
前記内箱（３）を収容すると共に、上壁（１６）と、前記上壁（１６）とは反対側にある底壁（１７）と、対向する２つ側壁（２０）と、後壁（１９）と、前記上壁（１８）、前記底壁（１７）及び前記側壁（２０）の間に位置する開口前端（１８）とを有する外箱（４）であって、それを介して前記内箱（３）が回転する外箱（４）と、
前記内箱（３）の前記底壁（７）を前記外箱（４）の前記底壁（１７）に接続して、内箱（３）が外箱（４）の内側に挿入された閉鎖位置と、内箱（３）が前記開口前端（１８）を介して外箱（４）から少なくとも部分的に引き出された開放位置との間で内箱（３）が回転するのを可能にする主ヒンジ（５）とを有し、
前記内箱（３）の底壁（７）を前記外箱（４）の底壁（１７）に接続する前記主ヒンジ（５）は、内箱（３）の底壁（７）に沿った中間位置と、外箱（４）の底壁（１７）に沿った中間位置とに配置される、タバコ製品のスイングオープン型硬質パッケージ（１）において、
前記スイングオープン型パッケージ（１）は、横断方向折り線（３７）に沿って前記外箱（４）の底壁（１７）に接続されると共に前記横断方向折り線（３７）周りで外箱（４）の底壁（１７）上へと１８０°折り畳まれる接続タブ（２６）であって、一方の側では第１接着剤（２７）によって外箱（４）の底壁（１７）の内面に部分接着されかつ反対側では第２接着剤（２８）によって前記内箱（３）の底壁（７）の外面に全面接着される接続タブ（２６）を有することを特徴とするパッケージ（１）。
【請求項２】
前記主ヒンジ（５）は、前記内箱（３）の底壁（７）に沿って、内箱の底壁（７）の前端縁から第１の距離にあり、内箱の底壁（７）の後端縁から第２の距離にある、ほぼ中間に位置すると共に、
主ヒンジ（５）は、前記外箱（４）の底壁（１７）に沿って、外箱の底壁（１７）の前端縁から第１の距離にあり、外箱の底壁（１７）の後端縁から第２の距離にある、ほぼ中間に位置することを特徴とする請求項１に記載のパッケージ（１）。
【請求項３】
前記主ヒンジ（５）は、前記外箱の底壁（１７）の前端縁と後端縁に平行な、対応する横断方向折り線により、外箱（４）の底壁（１７）内に直接形成されていることを特徴とする請求項１又は２に記載のパッケージ（１）。
【請求項４】
前記接続タブ（２６）は、前記外箱（４）の底壁（１７）の前端縁（３８）に沿う主底辺を持った台形であることを特徴とする請求項１、２又は３に記載のパッケージ（１）。
【請求項５】
前記主ヒンジ（５）は前記外箱（４）の底壁（１７）を、前記接続タブ（２６）に接着されて前記内箱（３）の底壁（７）と一体の前方部分（１７”）と、外箱（４）の他の部分と一体で内箱（３）と接続タブ（２６）から分離した後方部分（１７’）とに分割することを特徴とする請求項１〜４のいずれか一項に記載のパッケージ（１）。
【請求項６】
前記主ヒンジ（５）は前記外箱（４）の底壁（１７）を、前記内箱（３）の底壁（７）と一体の前方部分（１７”）と、外箱（４）の他の部分と一体で内箱（３）から分離した後方部分（１７’）とに分割することを特徴とする請求項１〜５のいずれか一項に記載のパッケージ（１）。
【請求項７】
前記外箱（４）の各側壁（２０）は、その側壁（２０）に垂直でかつ外箱（４）の前記底壁（１７）に接着されたフラップ（２９）を有することを特徴とする請求項１〜６のいずれか一項に記載のパッケージ（１）。
【請求項８】
前記フラップ（２９）の夫々の中央には、前記主ヒンジ（５）に並んで重ね合わされた折り線（５ｂ）が横断しており、その線はフラップ（２９）を、外箱（４）の底壁（１７）の前方部分（１７”）に重ね合わされて接着される前方部分（２９”）と、外箱（４）の底壁（１７）の後方部分（１７’）に重ね合わされて接着される後方部分（２９’）とに分割することを特徴とする請求項７に記載のパッケージ（１）。
【請求項９】
各フラップ（２９）の前記後方部分（２９’）は、折り線に沿って前記側壁（２０）に恒久的に接続され、更に
各フラップ（２９）の前記前方部分（２９”）は、パッケージ（１）の開封時に引き裂かれる引裂き線（３１）に沿って前記側壁（２０）に一時的に接続されることを特徴とする請求項７に記載のパッケージ（１）。
【請求項１０】
前記各フラップ（２９）は三角形であることを特徴とする請求項７、８又は９に記載のパッケージ（１）。
【請求項１１】
前記内箱（３）は、蓋ヒンジ（１２）に沿って内箱（３）にヒンジ付けられたヒンジ蓋（１１）を有し、前記開口上端（６）を開閉する開放位置と閉鎖位置との間で、内箱（３）に対して回転することを特徴とする請求項１〜１０のいずれか一項に記載のパッケージ（１）。
【請求項１２】
前記ヒンジ蓋（１１）は、前記外箱（４）に対する内箱（３）の開閉動作に対応して蓋（１１）が自動的に開閉動作を生じるように、前記ヒンジ蓋（１１）を外箱（４）に接続する自動制御システムを有することを特徴とする請求項１１に記載のパッケージ（１）。
【請求項１３】
前記ヒンジ蓋（１１）の前記自動制御システムは、
前記外箱（４）の上壁（１６）の端縁から外箱（４）の内方に延びる制御タブ（２１）と、
前記ヒンジ蓋（１１）の上壁（１３）を貫通して形成されかつ前記制御タブ（２１）に係合されるスロット（２２）と、を有することを特徴とする請求項１２に記載のパッケージ（１）。
【請求項１４】
更に、前記内箱（３）の外箱（４）からの引き込みを制限して、外箱（４）に対する内箱（３）の全開位置を決めるストッパ手段を有することを特徴とする請求項１〜１３のいずれか一項に記載のパッケージ（１）。
【請求項１５】
前記ストッパ手段は、
前記内箱（３）の側壁（１０）から内箱（３）の外側に突出すると共に内箱（３）の後壁（１０）の近傍に位置する２つの留置きタブ（２３）と、
前記外箱（４）の側壁（２０）から外箱（４）の内側に突出すると共に外箱（４）の開口端（１８）の近傍に位置する２つの留置きポケット（２４）とを有することを特徴とする請求項１４に記載のパッケージ（１）。
【発明の詳細な説明】
【技術分野】
【０００１】
本発明はタバコ製品のスイングオープン型硬質パッケージに関する。
【０００２】
本発明は、単なる例として、以下に説明する紙巻きタバコのパケットに利益をもたらすために活用することができる。
【背景技術】
【０００３】
ある特許文献には、一方が他方の内側に挿入される形の、部分分離可能な２つの箱を有するスイングオープン型硬質パケットが記載されている（例えば、特許文献１参照。）。具体的には、内箱は包装された紙巻きタバコ群を収容し、それ自身は外箱に収容され、内箱が外箱の内側に挿入された状態の閉鎖位置と、内箱が外箱から部分的に引き出された状態の開放位置との間で、主ヒンジを中心に回転することによって、内箱は外箱に対して移動するようになっている。内箱には接続部材によって外箱に機械的に接続されたヒンジ蓋があり、内箱が外箱に対して移動するに伴って蓋が“自動的（即ち、ユーザーが蓋に触れる必要なしに）”に開閉する。それを中心に内箱が外箱に対して回転する主ヒンジは２つの箱の底壁の前端縁に位置する。
【０００４】
平坦な支持面上に“直立状態”（即ち、その底壁の上に載った状態）で置かれた時、特許文献１に記載されたスイングオープン型硬質タバコパケットは、閉鎖位置（即ち、外箱の内側に内箱が挿入された状態）で静的に安定しただけとなる。言い換えるならば、閉鎖位置で“直立状態”で立った場合にタバコパケットは安定して“直立状態”を維持するのに対し、開放位置（即ち、内箱が外箱から部分的に引き出された状態）で“直立状態”で立った場合、不安定となって前方に倒れてしまう。上記タバコパケットが開放位置で“直立”できないという事実は、タバコ（或いは束ねた状態でないタバコ）パケットの小売業者が、商品の“サンプル”を明確にディスプレイすることが慣習となっているような国では明らかな欠点である'商品の。即ち、上述したタバコパケットの場合、最も効果的なディスプレイの“セッティング”（即ち、広告及び／又はプロモーションの観点で）は、 “直立状態”の開放位置（ただし、現状は不可能である）にある。
【０００５】
また、ある特許文献には、一方が他方の内側に挿入される形の、部分分離可能な２つの箱を有するスイングオープン型硬質パケットが記載されている（例えば、特許文献２参照。）。具体的には、内箱は包装された紙巻きタバコ群を収容し、それ自身は外箱に収容され、内箱が外箱の内側に挿入された状態の閉鎖位置と、内箱が外箱から部分的に引き出された状態の開放位置との間で、主ヒンジを中心に回転することによって、内箱は外箱に対して移動するようになっている。それを中心に内箱が外箱に対して回転する主ヒンジは、内・外箱の夫々の底壁に沿ってその中間位置に配置される。しかしながら、このタバコパケットは、内箱と外箱との間の機械的接続は比較的、脆弱かつ不安定であり、最終的には主ヒンジの近くで内箱と外箱が部分的に分離したり、完全に分離したりする可能性がある。
【先行技術文献】
【特許文献】
【０００６】
【特許文献１】国際公開第２００９／０１０８５１号
【特許文献２】西独国実用新案第２０１０７２７４号明細書
【発明の概要】
【発明が解決しようとする課題】
【０００７】
本発明の目的は、上記欠点を解消するように設計され、特に安価で製造が容易な、タバコ製品のスイングオープン型硬質パッケージを提供することにある。
【課題を解決するための手段】
【０００８】
本発明によれば、添付した特許請求の範囲によって請求されたタバコ製品のスイングオープン型硬質パッケージが提供される。
【０００９】
本発明の非限定的な実施形態を、添付図面を参照する例によって説明する。
【図面の簡単な説明】
【００１０】
【図１】閉鎖位置での、本発明による紙巻きタバコのスイングオープン型硬質パケットの前方斜視図である。
【図２】閉鎖位置での、図１のタバコパケットの後方斜視図である。
【図３】開放位置での、図１のタバコパケットの前方斜視図である。
【図４】図１のタバコパケットの外箱の詳細部の拡大前方斜視図である。
【図５】図４の外箱の底壁の上面図である。
【図６】接着剤の塗布域を強調した図５の底壁の上面図である。
【図７】接着剤の塗布域を強調した図５の底壁の上面図である。
【図８】図１のタバコパケットの内箱を形成するブランクの展開図である。
【図９】図１のタバコパケットの外箱を形成するブランクの展開図である。
【発明を実施するための形態】
【００１１】
図１、２及び図３の番号１は、全体としてのスイングオープン型硬質タバコパケットを示している。
【００１２】
タバコのパケット１は、紙巻きタバコの一群からなる包装されたタバコ群２（図３に示す）と、そのタバコ群の周りを包んで、完全に同封するアルミホイル包装材料シートとを有する。包装材料のシートは、通常、除去可能な上部分を決める穿孔破断線が備えており、その破断線は包装体を開けて個々のタバコを取り出す際に破断される。
【００１３】
タバコのパケット１は、包装された紙巻きタバコ群２を収納する平行六面体状の硬質の内箱３と、その内箱３を収納する平行六面体状の硬質の外箱４とを有する。内箱３は主ヒンジ５に沿って外箱４にヒンジ付けられており、外箱４に対して、内箱３が外箱４の内側に挿入された状態の閉鎖位置（図１）と、内箱３が外箱４から部分的に引き出されて包装タバコ群２へのアクセスを可能にする開放位置（図３）との間で回転するようになっている。
【００１４】
内箱３は、平行六面体の形態でカップ状であり、包装タバコ群２にアクセスするための開口上端６と、その開口上端６の反対側にある底壁７と、前壁８と、その前壁８に対して平行な状態で反対側にある後壁９と、平行に向かい合った２つの側壁１０とを備える。内箱３は、ヒンジ蓋１２に沿って内箱３にヒンジ付けられるヒンジ蓋１１を有しており、その蓋は開口上端６を開口させる開放位置（図３）と、同上端と閉じる閉鎖位置との間で内箱３に対して回転するようになっている。蓋１１は、蓋１１が閉じられた際に内箱３の底壁７と反対側で平行となる矩形状の上壁１３と、蓋１１が閉じられた際に内箱３の後壁９と連続する矩形状の後壁１４と、蓋１１が閉じられた際に内箱３の側壁１０と連続する２つの三角形側壁１５とを有する。蓋ヒンジ１２は内箱３の後壁９の上端縁を蓋１１の後壁１４の下端縁に接続する。
【００１５】
外箱４も又、平行六面体状であり、内箱３が閉鎖位置にある時、蓋１１の上壁１３に平行に対面する上壁１６と、その上壁１６に平行に対向すると共に内箱３が閉鎖位置にある時、内箱３の底壁７に平行に対面する底壁１７と、これを介して内箱３が回転するような開口前端１８と、その開口前端１８の反対側にあって、内箱３が閉鎖位置にある時、内箱３の後壁９に平行に対面する後壁１９と、内箱３が閉鎖位置にある時、内箱３にある対応側壁１０に平行に対面する２つの向かい合った平行側壁２０とを有する。
【００１６】
蓋１１は、外箱４に対する内箱３の開閉動作に対応して蓋１１が自動的に（即ち、ユーザーが蓋１１に接する必要なしに）開閉動作を生じるように、蓋１１を外箱４に接続する自動制御システムを有している。蓋１１の自動制御システムは、外箱４の上壁１６の端縁から外箱４の内側に延びる制御タブ２１（図９）と、蓋１１の上壁１３を貫通して形成されかつ制御タブ２１に係合するスロット２２（図８）とを有する。
【００１７】
タバコのパケット１は、外箱４から内箱３の引き込みを制限すると共に外箱４に対する内箱３の全開位置を決めるストッパ部材を有する。そのストッパ部材は、内箱３の側壁１０から内箱３の外側に突出すると共に内箱３の後壁１０の近傍に位置する２つの留置きタブ２３（図８）と、外箱４の側壁２０から外箱４の内側に突出すると共に外箱４の開口端１８の近傍に位置する２つの留置きポケット２４（図９）とを有する。実際の使用においては、内箱３が主ヒンジ５周りで外箱４に対して閉鎖位置から開放位置へと回転すると、夫々の留置きタブ２３が各留置きポケット２４の内側をスライドし、内箱３の引き込みを止める。
【００１８】
添付図面に示した好ましい実施形態では、外箱４の後壁１９は、ユーザーの指の挿入を可能にする形状・大きさの貫通孔２５を有している。タバコのパケット１を開くには、ユーザーは片手で外箱４を掴み、孔２５の内側に指を挿入して、内箱３の後壁９に力を与え、外箱４に対して内箱３を移動する。
【００１９】
図３に示すように、主ヒンジ５によって、内箱３は外箱４に対して回転することができ、内箱３の底壁７を外箱４の底壁１７に接続する。主ヒンジ５は、内箱３の底壁７に沿ったその中間位置に位置すると共に（即ち、底壁７の前端縁から第１の距離と、底壁７の後端縁から第２の距離を隔てた位置にあって、底壁７に沿っておおよそ中間の位置に配置され）、かつ外箱４の底壁１７の中間位置に位置する（即ち、底壁１７の前端縁から第１の距離と、底壁１７の後端縁から第２の距離を隔てた位置にあって、底壁１７に沿っておおよそ中間の位置に配置される）。
【００２０】
図４および図５に示すように、外箱４に対しその周りで内箱３が回転する主ヒンジ５は、底壁１７の前端縁及び後端縁に平行な、対応した横断方向折り線（図９に明瞭に示されている）により外箱４の底壁１７内に直接形成される。外箱４の底壁１７の前端縁３８は、横断方向折り線３７に沿って台形の接続タブ２６（その主底辺は底壁１７の前端縁３８に沿った状態で）に接続され、外箱４を内箱３に接続するため、同タブは外箱４の底壁１７の内面に（部分的に）接着される一方、内箱３の底壁７の外面に対して（完全に）接着される。言い換えれば、接続タブ２６は初め１８０°折り曲げられて外箱４の底壁１７に（部分）接着され、次いで内箱３の底壁７に（外箱４の底壁１７に接着された側とは反対側において完全に）接着される。
【００２１】
前述したように、主ヒンジ５は、外箱４の底壁１７に沿った中間位置に配置されて、内箱４の底壁１７を、内箱３の底壁７に（接着され）一体で（即ち、内箱３と一体で回転する）外箱４の残りからは分離された第１の部分１７”と、外箱４の残りと一体で内箱３からは分離した後方部分１７’とに分割する。接続タブ２６は接着剤２７（図６に示す）によって底壁１７の前方部分１７”に接続されているだけであり、底壁１７の後方部分１７’に少しも接続（接着）されてはいない。接続タブ２６は接着剤２８（図７に示す）により内箱３の底壁７の外面に完全に接着されている。言い換えれば、接続タブ２６は接着剤２７により、箱４の底壁１７に対しては部分的に（即ち、底壁１７の前方部分１７”に対してのみ）接着されているが、接着剤２８により内箱３の底壁７に対しては完全に接着されている。
【００２２】
図４及び図５に示す好ましい実施形態では、外箱４の各側壁２０はフラップ２９を有し、それらは側壁２０に対して９０°に（即ち、垂直に）折り曲げられると共に接着剤３０（図６に示す）によって外箱４の底壁１７に完全に接着されている（即ち、底壁１７の前方部分１７”と後方部分１７’の双方に接着されている）。各フラップ２９の中央には折り線５ｂが横断しており、その線は主ヒンジ５を決める折り線に一致して重ね合わされ、フラップ２９を外箱４の底壁１７と同じように回転可能にしている。折り線５ｂは各フラップ２９を、底壁１７の前方部分１７”に重ね合わされて接着される前方部分２９”と、底壁１７の後方部分１７’に重ね合わされて接着される後方部分２９’とに分割する。各フラップ２９の後方部分２９’は折り線に沿って側壁２０に恒久的に接続されているのに対し、各フラップ２９の前方部分２９”は、タバコパケット１の封を切る際に引き裂かれる引裂き線３１に沿って側壁２０に一時的に接続されている（即ち、タバコパケット１が開封される際には引裂き線３１は完全に引き裂かれ、対応フラップ２９の前方部分２９”は側壁２０から恒久的に分離される）。別の実施形態では、引裂き線３１は、最初から側壁２０から各フラップ２９の前方部分２９”を分離する分割線によって置き換えられる。
【００２３】
図示されない別の実施形態（本発明の目的ではない）では接続タブ２６を有さず、以て内箱３の底壁７は外箱４の底壁１７の前方部分１７”に直接接着される。この実施形態では、側壁２０の下端縁と外箱４の底壁１７の側端縁との間の間隙が形成することのないようにフラップ２９を備えることが好ましい。
【００２４】
図８に示すように、内箱３は、平坦でかつ実質的に細長い矩形ブランク３２を折り畳むことによって形成され、その各部分については、可能な限り、内箱３の対応部分の参照番号＋上付き文字を使用して表示されている。
【００２５】
ブランク３２は２本の縦方向折り線３３と多数の横断方向折り線３４を有しており、それらは縦方向折り線３３の間に、蓋１１の上壁１３を形成するパネル１３’と、蓋１１の後壁１４を形成するパネル１４’と、内箱３の後壁９を形成するパネル９’と、内箱３の底壁７を形成するパネル７’と、内箱３の前壁８を形成するパネル８’とを画成する。
【００２６】
パネル１４’は２つの側方ウィング１５’を有し、それらは蓋１１の側壁１５を形成している。パネル９’は、夫々に内箱３の側壁１０の外側部分を形成する２つの側方ウィング１０’を有し、それらはパネル９’の両側に配置されると共に縦方向折り線３３によりパネル９’から分離される。パネル８’は、夫々に内箱３の側壁１０の各内側部分を形成する２つの側方ウィング１０”を有し、それらはパネル８’の両側に配置されると共に縦方向折り線３３によりパネル８’から分離される。
【００２７】
図９に示すように、外箱４は付属部を備えた平坦な矩形ブランク３５を折り曲げることによって形成され、その各部分については、可能な限り、外箱４における対応部分の番号と同じ参照番号＋上付き文字を使用して表示されている。
【００２８】
ブランク３５は４本の縦方向折り線３６と多数の横断方向折り線３７を有し、それらは４本の縦方向折り線３６の間に、外箱４の上壁１６を形成するパネル１６’と、外箱４の後壁１９を形成するパネル１９’と、外箱４の底壁１７の後方部分１７’と前方部分１７”と、接続タブ１６とを画成する。
【００２９】
パネル１９’は２つの側方ウィング２０’を有し、それらは外箱４の側壁２０を形成すると共にパネル１９’の両側に配置され、縦方向折り線３６によりパネル１９’から分離される。各側方ウィング２０’はフラップ１９を有し、その一部は対応する引裂き線３１に沿って側方ウィング２０’に接続され、その残りは対応する横断方向折り線３７に沿って側方ウィング２０”に接続される。
【００３０】
上述したタバコパケット１は、平坦な支持面上に“直立”した状態で配置された際（即ち、その底壁上に載った状態で）、閉鎖位置（即ち、内箱３が外箱４内に挿入された状態）と開放位置（即ち、内箱３が部分的に外箱４から引き出された状態）の双方で、静的に安定した状態（即ち、“直立”したまま）になるという利点を有する。このことはタバコパケット１が閉鎖位置と開放位置の双方で“直立”状態で立てることを意味する。
【００３１】
更に、国際公開第２００９／１０８５１号のタバコパケットと比較して、上述したタバコパケット１は又、ブランクの製造や折り曲げを更に高価、又は困難にすることのない軽微な変更しか必要としないため、安価であると共に製造容易である。
【００３２】
最後に、接続タブ２６は、一方で接着剤２８によって内箱３の底壁７の外面全体に完全接着されること（即ち、非常に強力な機械的接続の形成）により、他方で接着剤２７によって外箱４の底壁１７の前方部分１７”に接着されることにより、そして更に、横断方向折り線３７によって底壁１７に機械的に接続されること（即ち、これも又、非常に強力な機械的接続を形成）により、内箱３と外箱４の間で一層強力かつ安定した機械的接続を提供している。接続タブ２６は又、前端縁３８に沿ってどんな裸のパッキング材をも隠すことにより外箱４の底壁１７の前端縁３８の外観を改善している。
【００３３】
数多くの利点があることを前提とした上で、上述したタバコパケット１の設計は又、例えば紙巻きタバコのカートン（この場合、包装された紙巻きタバコ群２はタバコパケットの一群によって置き換わる）や、葉巻タバコのパケット（この場合、包装された紙巻きタバコ群２は、必ずしもそうとは限らないが、好ましくは包装された葉巻タバコ群によって置き換わる）のような他の種類のタバコ製品用硬質箱の製造に完全に適用されてもよい。
【図１】
2015511564.tif 000003
【図２】
2015511564.tif 000004
【図３】
2015511564.tif 000005
【図４】
2015511564.tif 000006
【図５】
2015511564.tif 000007
【図６】
2015511564.tif 000008
【図７】
2015511564.tif 000009
【図８】
2015511564.tif 000010
【図９】
2015511564.tif 000011
【手続補正書】
【提出日】平成25年12月4日(2013.12.4)
【手続補正１】
【補正対象書類名】明細書
【補正対象項目名】０００５
【補正方法】変更
【補正の内容】
【０００５】
また、ある特許文献には、一方が他方の内側に挿入される形の、部分分離可能な２つの箱を有するスイングオープン型硬質パケットが記載されている（例えば、特許文献２参照。）。具体的には、内箱は包装された紙巻きタバコ群を収容し、それ自身は外箱に収容され、内箱が外箱の内側に挿入された状態の閉鎖位置と、内箱が外箱から部分的に引き出された状態の開放位置との間で、主ヒンジを中心に回転することによって、内箱は外箱に対して移動するようになっている。それを中心に内箱が外箱に対して回転する主ヒンジは、内・外箱の夫々の底壁に沿ってその中間位置に配置される。しかしながら、このタバコパケットは、内箱と外箱との間の機械的接続は比較的、脆弱かつ不安定であり、最終的には主ヒンジの近くで内箱と外箱が部分的に分離したり、完全に分離したりする可能性がある。
また、ある特許文献には、最も近い従来技術として、少なくとも一群のタバコと、少なくとも一群のタバコを収容する内箱と、内箱を収容すると共に、少なくとも一つの開放側端を有する外箱と、内箱を外箱に接続して、内箱が外箱の内側に挿入された閉鎖位置と、内箱が外箱から少なくとも部分的に引き出された開放位置との間で内箱が回転するのを可能にするヒンジとを有し、横断方向折り線に沿って外箱の底壁に接続されている接続タブが、横断方向折り線周りで外箱の底壁上へと１８０°折り畳まれ、かつ、内箱の底壁の外面に接着されている、タバコのスイングオープン型硬質パケットが開示されている（例えば、特許文献３参照。）。この特許文献の図１１〜１５に示す実施例では、ヒンジは、内箱の底壁に沿った中間位置と、外箱の底壁に沿った中間位置とに配置される。
【手続補正２】
【補正対象書類名】明細書
【補正対象項目名】０００６
【補正方法】変更
【補正の内容】
【０００６】
【特許文献１】国際公開第２００９／０１０８５１号
【特許文献２】西独国実用新案第２０１０７２７４号明細書
【特許文献３】欧州特許出願公開第２０１７１９８号明細書
【手続補正３】
【補正対象書類名】特許請求の範囲
【補正対象項目名】全文
【補正方法】変更
【補正の内容】
【特許請求の範囲】
【請求項１】
タバコ製品の一群（２）と、
前記タバコ製品の群（２）を収容すると共に、底壁（７）と、前記底壁（７）とは反対側にある開口上端（６）とを有する内箱（３）と、
前記内箱（３）を収容すると共に、上壁（１６）と、前記上壁（１６）とは反対側にある底壁（１７）と、対向する２つ側壁（２０）と、後壁（１９）と、前記上壁（１８）、前記底壁（１７）及び前記側壁（２０）の間に位置する開口前端（１８）とを有する外箱（４）であって、それを介して前記内箱（３）が回転する外箱（４）と、
前記内箱（３）の前記底壁（７）を前記外箱（４）の前記底壁（１７）に接続して、内箱（３）が外箱（４）の内側に挿入された閉鎖位置と、内箱（３）が前記開口前端（１８）を介して外箱（４）から少なくとも部分的に引き出された開放位置との間で内箱（３）が回転するのを可能にする主ヒンジ（５）とを有し、
横断方向折り線（３７）に沿って前記外箱（４）の前記底壁（１７）に接続されている接続タブ（２６）が、前記横断方向折り線（３７）周りで前記外箱（４）の前記底壁（１７）上へと１８０°折り畳まれ、かつ、第１接着剤（２８）によって前記内箱（３）の前記底壁（７）の外面に全面接着され、
前記内箱（３）の底壁（７）を前記外箱（４）の底壁（１７）に接続する前記主ヒンジ（５）は、内箱（３）の底壁（７）に沿った中間位置と、外箱（４）の底壁（１７）に沿った中間位置とに配置され、
前記主ヒンジ（５）は、前記外箱（４）の底壁（１７）を、前方部分（１７”）と後方部分（１７’）とに分割する、タバコ製品のスイングオープン型硬質パッケージ（１）において、
前記接続タブ（２６）は、前記接続タブ（２６）が第２接着剤（２７）によって前記外箱（４）の前記底壁（１７）の前記前方部分（１７”）に接続（接着）されているだけであり、かつ前記外箱（４）の前記底壁（１７）の前記後方部分（１７’）に少しも接続（接着）されてはいないように、前記第２接着剤（２７）によって前記外箱（４）の前記底壁（１７）の内面に部分接着されている、ことを特徴とするパッケージ（１）。
【請求項２】
前記主ヒンジ（５）は、前記内箱（３）の底壁（７）に沿って、内箱の底壁（７）の前端縁から第１の距離にあり、内箱の底壁（７）の後端縁から第２の距離にある、ほぼ中間に位置すると共に、
主ヒンジ（５）は、前記外箱（４）の底壁（１７）に沿って、外箱の底壁（１７）の前端縁から第１の距離にあり、外箱の底壁（１７）の後端縁から第２の距離にある、ほぼ中間に位置することを特徴とする請求項１に記載のパッケージ（１）。
【請求項３】
前記主ヒンジ（５）は、前記外箱の底壁（１７）の前端縁と後端縁に平行な、対応する横断方向折り線により、外箱（４）の底壁（１７）内に直接形成されていることを特徴とする請求項１又は２に記載のパッケージ（１）。
【請求項４】
前記接続タブ（２６）は、前記外箱（４）の底壁（１７）の前端縁（３８）に沿う主底辺を持った台形であることを特徴とする請求項１、２又は３に記載のパッケージ（１）。
【請求項５】
前記外箱（４）の前記底壁（１７）の前記前方部分（１７”）は、前記接続タブ（２６）に接着され、かつ前記内箱（３）の前記底壁（７）と一体であり、
前記外箱（４）の前記底壁（１７）の前記後方部分（１７’）は、前記外箱（４）の他の部分と一体であり、かつ前記内箱（３）及び前記接続タブ（２６）から分離していることを特徴とする請求項１〜４のいずれか一項に記載のパッケージ（１）。
【請求項６】
前記外箱（４）の前記底壁（１７）の前記前方部分（１７”）は、前記内箱（３）の前記底壁（７）と一体であり、
前記外箱（４）の前記底壁（１７）の前記後方部分（１７’）は、前記外箱（４）の他の部分と一体であり、かつ前記内箱（３）から分離していることを特徴とする請求項１〜４のいずれか一項に記載のパッケージ（１）。
【請求項７】
前記外箱（４）の各側壁（２０）は、その側壁（２０）に垂直でかつ外箱（４）の前記底壁（１７）に接着されたフラップ（２９）を有することを特徴とする請求項１〜６のいずれか一項に記載のパッケージ（１）。
【請求項８】
前記フラップ（２９）の夫々の中央には、前記主ヒンジ（５）に並んで重ね合わされた折り線（５ｂ）が横断しており、その線はフラップ（２９）を、外箱（４）の底壁（１７）の前方部分（１７”）に重ね合わされて接着される前方部分（２９”）と、外箱（４）の底壁（１７）の後方部分（１７’）に重ね合わされて接着される後方部分（２９’）とに分割することを特徴とする請求項７に記載のパッケージ（１）。
【請求項９】
各フラップ（２９）の前記後方部分（２９’）は、折り線に沿って前記側壁（２０）に恒久的に接続され、更に
各フラップ（２９）の前記前方部分（２９”）は、パッケージ（１）の開封時に引き裂かれる引裂き線（３１）に沿って前記側壁（２０）に一時的に接続されることを特徴とする請求項７に記載のパッケージ（１）。
【請求項１０】
前記各フラップ（２９）は三角形であることを特徴とする請求項７、８又は９に記載のパッケージ（１）。
【請求項１１】
前記内箱（３）は、蓋ヒンジ（１２）に沿って内箱（３）にヒンジ付けられたヒンジ蓋（１１）を有し、前記開口上端（６）を開閉する開放位置と閉鎖位置との間で、内箱（３）に対して回転することを特徴とする請求項１〜１０のいずれか一項に記載のパッケージ（１）。
【請求項１２】
前記ヒンジ蓋（１１）は、前記外箱（４）に対する内箱（３）の開閉動作に対応して蓋（１１）が自動的に開閉動作を生じるように、前記ヒンジ蓋（１１）を外箱（４）に接続する自動制御システムを有することを特徴とする請求項１１に記載のパッケージ（１）。
【請求項１３】
前記ヒンジ蓋（１１）の前記自動制御システムは、
前記外箱（４）の上壁（１６）の端縁から外箱（４）の内方に延びる制御タブ（２１）と、
前記ヒンジ蓋（１１）の上壁（１３）を貫通して形成されかつ前記制御タブ（２１）に係合されるスロット（２２）と、を有することを特徴とする請求項１２に記載のパッケージ（１）。
【請求項１４】
更に、前記内箱（３）の外箱（４）からの引き込みを制限して、外箱（４）に対する内箱（３）の全開位置を決めるストッパ手段を有することを特徴とする請求項１〜１３のいずれか一項に記載のパッケージ（１）。
【請求項１５】
前記ストッパ手段は、
前記内箱（３）の側壁（１０）から内箱（３）の外側に突出すると共に内箱（３）の後壁（１０）の近傍に位置する２つの留置きタブ（２３）と、
前記外箱（４）の側壁（２０）から外箱（４）の内側に突出すると共に外箱（４）の開口端（１８）の近傍に位置する２つの留置きポケット（２４）とを有することを特徴とする請求項１４に記載のパッケージ（１）。
【国際調査報告】
2015511564.tif 000012
2015511564.tif 000013